(57)【要約】【課題】要約再生時の処理が遅くなるのを抑制しながら、コンテンツの概要を容易に確認することが可能な記録再生装置を提供する。【解決手段】ＤＶＤレコーダは、コンテンツを記録するＨＤＤ部と、コンテンツからハイライトシーンを抽出してスクラップデータを生成するスクラップデータ生成部とを備えている。スクラップデータ生成部により生成されたスクラップデータは、ＨＤＤ部に記録される。そして、ＤＶＤレコーダは、ＨＤＤ部に記録されたスクラップデータに基づいてハイライトシーンＰａ１〜Ｐａ４を表示装置２００に一覧表示させる。【選択図】図３
2010199655.tif 000002
【特許請求の範囲】
【請求項１】
コンテンツを記録する記録部を備え、
前記記録部により記録されたコンテンツを再生する記録再生装置において、
コンテンツからハイライトシーンを抽出する抽出部をさらに備え、
前記抽出部により抽出されたハイライトシーンは、前記記録部により記録され、
前記記録部により記録されたハイライトシーンが表示部に一覧表示される、ことを特徴とする記録再生装置。
【請求項２】
請求項１に記載の記録再生装置において、
コンテンツに応じてフォームが選択され、
前記抽出部により抽出されたハイライトシーンが前記フォームに挿入された状態で前記表示部に表示される、ことを特徴とする記録再生装置。
【請求項３】
請求項１または請求項２に記載の記録再生装置において、
コンテンツからハイライトシーンを利用者が選択することが可能なように構成されている、ことを特徴とする記録再生装置。
【発明の詳細な説明】
【技術分野】
【０００１】
本発明は、コンテンツの要約再生機能を備えた記録再生装置に関する。
【背景技術】
【０００２】
従来、コンテンツの要約再生機能を備えた記録再生装置が種々知られている（たとえば、特許文献１〜５参照）。
【０００３】
上記特許文献１には、コンテンツが再生される際に、再生されるコンテンツのハイライトシーンのサムネイル画像が表示画面の下部に表示される記録再生装置が開示されている。この記録再生装置では、ハイライトシーンのサムネイル画像の一覧が表示画面に表示されるので、ハイライトシーンが順に再生される場合に比べて、利用者がコンテンツの概要を容易に確認することが可能である。
【０００４】
また、上記特許文献２には、受信したコンテンツを記録する記録部と、受信したコンテンツのダイジェストを生成するダイジェスト生成部とを備えたコンテンツ記録再生装置が開示されている。このコンテンツ記録再生装置は、コンテンツおよびダイジェストの再生履歴に基づいて、コンテンツの消去の可否を決定する。
【０００５】
また、上記特許文献３には、未視聴の番組が複数録画されている場合に、未視聴の番組のダイジェストを利用者の嗜好順に再生するＴＶ放送録画装置が開示されている。
【０００６】
また、上記特許文献４には、映像を記録する記録部と、映像を要約再生する際の変換規則を学習する学習部と、変換規則に基づいて映像を要約再生する再生部とを備えた映像蓄積再生装置が開示されている。
【０００７】
また、上記特許文献５には、ハイライトシーンを的確に判定することが可能なディスクレコーダが開示されている。
【先行技術文献】
【特許文献】
【０００８】
【特許文献１】特開２００７−１２３９８１号公報
【特許文献２】特開２００８−１０８３６４号公報
【特許文献３】特開２００８−６６７７７号公報
【特許文献４】特開２００７−１８９４４８号公報
【特許文献５】特開２００８−１６７３６８号公報
【発明の概要】
【発明が解決しようとする課題】
【０００９】
しかしながら、上記特許文献１に開示された従来の記録再生装置では、コンテンツの要約再生が行われる毎に、コンテンツからハイライトシーンが検索され、検出されたハイライトシーンのサムネイル画像がコンテンツから生成され、生成されたサムネイル画像が表示画面に表示される。その結果、要約再生時の処理に時間がかかるという問題点がある。
【００１０】
また、上記特許文献２〜５に開示された従来の記録再生装置では、要約再生時にハイライトシーンの一覧を表示部に表示させる構成を備えておらず、利用者がコンテンツの概要を容易に確認することが困難であるという問題点がある。
【００１１】
本発明は、上述した課題を解決するものであって、その目的とするところは、要約再生時の処理が遅くなるのを抑制しながら、コンテンツの概要を容易に確認することが可能な記録再生装置を提供することである。
【課題を解決するための手段】
【００１２】
本発明の記録再生装置は、コンテンツを記録する記録部を備え、記録部により記録されたコンテンツを再生する記録再生装置において、コンテンツからハイライトシーンを抽出する抽出部をさらに備え、抽出部により抽出されたハイライトシーンは、記録部により記録され、記録部により記録されたハイライトシーンが表示部に一覧表示される。
【００１３】
このように構成することによって、ハイライトシーンが表示部に一覧表示されるので、利用者がコンテンツの概要を容易に確認することができる。また、記録部によりハイライトシーンが記録されることにより、上記特許文献１のように、コンテンツの要約再生が行われる毎に、ハイライトシーンのサムネイル画像を生成する必要がないので、要約再生時の処理が遅くなるのを抑制することができる。
【００１４】
上記記録再生装置において、コンテンツに応じてフォームが選択され、抽出部により抽出されたハイライトシーンがフォームに挿入された状態で表示部に表示されるようにしてもよい。
【００１５】
このように構成すれば、要約再生時のレイアウトがコンテンツに応じて変更されるので、利用者がコンテンツの概要をより容易に確認することができる。
【００１６】
上記記録再生装置において、コンテンツからハイライトシーンを利用者が選択することが可能なように構成されていてもよい。
【００１７】
このように構成すれば、要約再生時の画面を利用者がカスタマイズすることができる。
【発明の効果】
【００１８】
本発明によれば、要約再生時の処理が遅くなるのを抑制しながら、コンテンツの概要を容易に確認することが可能な記録再生装置を提供することができる。
【図面の簡単な説明】
【００１９】
【図１】本発明の一実施形態によるＤＶＤレコーダの全体構成を示したブロック図である。
【図２】図１のＤＶＤレコーダのコンテンツの再生時の動作を説明するためのフローチャートである。
【図３】表示装置に野球中継の要約再生が表示された状態を示した図である。
【図４】表示装置にサッカー中継の要約再生が表示された状態を示した図である。
【図５】図１のＤＶＤレコーダのスクラップデータの手動作成時の動作を説明するためのフローチャートである。
【図６】表示装置に野球中継用のフォームが表示された状態を示した図である。
【発明を実施するための形態】
【００２０】
以下、本発明の実施形態について、図面を参照しながら説明する。なお、以下の実施形態では、記録再生装置の一例であるＤＶＤレコーダに本発明を適用した場合について説明する。
【００２１】
まず、図１を参照して、本発明の一実施形態によるＤＶＤレコーダ１００の構成について説明する。
【００２２】
本実施形態によるＤＶＤレコーダ１００は、図１に示すように、表示装置２００が接続されるＤＶＤレコーダ本体１と、ＤＶＤレコーダ本体１を遠隔操作するリモコン２とを備えている。
【００２３】
ＤＶＤレコーダ本体１は、チューナ１１と、ＶＣＲ（Video Cassette Recorder）部１２と、ＤＶＤ部１３と、ＨＤＤ部１４と、処理部１５と、ＯＳＤ（On-Screen Display）部１６と、合成部１７と、出力部１８と、受信部１９と、スクラップデータ生成部２０と、制御部２１とを含んでおり、これらはバス１ａを介して接続されている。なお、ＨＤＤ部１４は、本発明の「記録部」の一例であり、スクラップデータ生成部２０は、本発明の「抽出部」の一例である。
【００２４】
チューナ１１には、アンテナ（図示省略）が接続されており、チューナ１１は、地上デジタル放送などのテレビジョン放送を受信する。そして、チューナ１１は、受信したコンテンツを処理部１５に出力する。ＶＣＲ部１２は、ビデオカセット（図示省略）の搬送機構や磁気ヘッドなどを有しており、ビデオカセットに対する読み込みおよび書き込みを行う。そして、ＶＣＲ部１２は、ビデオカセットから読み込んだコンテンツの映像音声情報を処理部１５に出力する。
【００２５】
ＤＶＤ部１３は、ディスクトレイや光ピックアップなどを有しており、ディスクトレイに載置されたＤＶＤ（図示省略）に対する読み込みおよび書き込みを行う。そして、ＤＶＤ部１３は、ＤＶＤから読み込んだコンテンツの映像音声情報を処理部１５に出力する。ＨＤＤ部１４は、ハードディスクドライブなどを有しており、コンテンツを記録するとともに、記録したコンテンツの映像音声情報を処理部１５に出力する。なお、コンテンツには、映像音声情報の他に、コンテンツの種類を示す情報やコンテンツに関連するデータ情報などが含まれる。また、コンテンツに関連するデータ情報とは、たとえば、コンテンツの種類がスポーツ中継である場合、対戦チーム名、試合の得点経過、出場選手名、および、試合が行われた日付などを含み、コンテンツの種類が映画である場合、タイトル、出演者名、および、あらすじなどを含む。
【００２６】
処理部１５は、デコーダなどを有しており、チューナ１１、ＶＣＲ部１２、ＤＶＤ部１３、および、ＨＤＤ部１４から入力された信号に対して所定の処理を施す。そして、処理部１５は、所定の処理が施された信号を合成部１７に出力する。ＯＳＤ部１６は、ＯＳＤ信号を生成するとともに、生成したＯＳＤ信号を合成部１７に出力する。合成部１７は、処理部１５から入力された信号に、ＯＳＤ部１６から入力されたＯＳＤ信号を重畳して出力部１８に出力する。
【００２７】
出力部１８は、合成部１７から入力された信号を表示装置２００に出力する。表示装置２００は、たとえば、液晶テレビジョン受像機であり、ＤＶＤレコーダ本体１から出力されたコンテンツなどを表示する。なお、表示装置２００は、本発明の「表示部」の一例である。受信部１９は、フォトダイオードなどを含み、リモコン２から出力されるリモコン信号を受信する。
【００２８】
スクラップデータ生成部２０は、ＨＤＤ部１４に記録されるコンテンツ（通常録画データ）からハイライトシーンを抽出してスクラップデータを生成する。そして、生成されたスクラップデータは、ＨＤＤ部１４に記録される。なお、ハイライトシーンは、利用者が注目するであろうと考えられるシーンなどであり、たとえば、コンテンツの音声の盛り上がりなどに基づいて判断される。また、スクラップデータは、動画および静止画を含むハイライトシーンに加えて、コンテンツから抽出されるデータ情報なども含み、コンテンツの要約再生時に用いられる。
【００２９】
制御部２１は、ＣＰＵ２１ａと、ＲＯＭ２１ｂと、ＲＡＭ２１ｃとを有する。ＣＰＵ２１ａは、ＤＶＤレコーダ本体１の動作を制御する。ＲＯＭ２１ｂは、書き換え可能な不揮発性のメモリであり、たとえば、フラッシュメモリである。ＲＯＭ２１ｂは、ＤＶＤレコーダ本体１の動作を制御するためのプログラムや、各種設定項目の設定値などを記憶する。ＲＡＭ２１ｃは、たとえば、ＤＲＡＭであり、プログラムが実行される際のデータなどを一時的に記憶する。
【００３０】
ＤＶＤレコーダ１００は、利用者がリモコン２を操作することにより、自動スクラップ機能の設定を変更可能なように構成されている。具体的には、ＤＶＤレコーダ１００は、自動スクラップ機能がオンに設定されておれば、コンテンツがＨＤＤ部１４に記録される場合に、そのコンテンツのスクラップデータを自動的に生成する。すなわち、この場合には、コンテンツの通常再生用の通常録画データと、コンテンツの要約再生用のスクラップデータとがＨＤＤ部１４に記録される。その一方、ＤＶＤレコーダ１００は、自動スクラップ機能がオフに設定されておれば、コンテンツがＨＤＤ部１４に記録される場合に、そのコンテンツのスクラップデータを生成しない。すなわち、この場合には、コンテンツの通常再生用の通常録画データのみがＨＤＤ部１４に記録される。
【００３１】
また、ＤＶＤレコーダ１００は、ＨＤＤ部１４に記録されたコンテンツ（通常録画データ）からハイライトシーンを利用者が選択することにより、利用者が手動で要約再生用のスクラップデータを作成することが可能なように構成されている。このスクラップデータの手動作成については後で詳細に説明する。
【００３２】
次に、図２を参照して、本実施形態によるＤＶＤレコーダ１００のコンテンツの再生時の動作について説明する。なお、以下の動作説明では、ＨＤＤ部１４に記録されたコンテンツのうち、所定のコンテンツの再生指令を受け付けた場合について説明する。また、このフローチャートの各ステップは、ＣＰＵ２１ａ（図１参照）により実行される。
【００３３】
まず、ＤＶＤレコーダ１００（図１参照）では、図２のステップＳ１において、再生指令を受け付けたコンテンツの通常録画データがあるか否かが判断される。そして、コンテンツの通常録画データがあると判断された場合には、ステップＳ２に移る。その一方、コンテンツの通常録画データがないと判断された場合には、ステップＳ８に移る。
【００３４】
次に、ステップＳ２において、再生指令を受け付けたコンテンツのスクラップデータがあるか否かが判断される。そして、コンテンツのスクラップデータがあると判断された場合には、ステップＳ３に移る。その一方、コンテンツのスクラップデータがないと判断された場合には、ステップＳ７において、コンテンツの通常録画データを用いて、コンテンツの通常再生が行われ、その後、再生時の動作が終了する。
【００３５】
次に、ステップＳ３において、利用者がコンテンツの要約再生を選択したか否かが判断される。具体的には、利用者に「通常再生」および「要約再生」のいずれか一方をリモコン２の操作により選択させる選択画面を表示装置２００（図１参照）に表示させる。そして、利用者が要約再生を選択したと判断された場合には、ステップＳ４に移る。その一方、利用者が通常再生を選択したと判断された場合には、ステップＳ７において、コンテンツの通常録画データを用いて、コンテンツの通常再生が行われ、その後、再生時の動作が終了する。
【００３６】
次に、ステップＳ４において、コンテンツのスクラップデータを用いて、コンテンツの要約再生が行われる。要約再生では、コンテンツの種類（たとえば、野球中継、サッカー中継、映画、ニュースなど）に応じてフォームが選択されるとともに、選択されたフォームにハイライトシーンが挿入される。したがって、たとえば、コンテンツの種類が野球中継である場合には、図３に示すように、ハイライトシーンＰａ１〜Ｐａ４が野球中継用のフォームＦ１に挿入された状態で表示装置２００に表示される。また、コンテンツの種類がサッカー中継である場合には、図４に示すように、ハイライトシーンＰｂ１〜Ｐｂ４がサッカー中継用のフォームＦ２に挿入された状態で表示装置２００に表示される。なお、フォームは、たとえば、ＲＯＭ２１ｂに記憶されている。
【００３７】
ハイライトシーンＰａ１〜Ｐａ４（Ｐｂ１〜Ｐｂ４）は、それぞれ、コンテンツの映像情報から抽出されたスクラップデータに基づいて表示される。すなわち、ハイライトシーンＰａ１〜Ｐａ４（Ｐｂ１〜Ｐｂ４）は、動画または静止画である。なお、後述する利用者が作成した文章がフォームに挿入されている場合には、その利用者が作成した文章も表示される。また、フォームＦ１およびＦ２の上方に表示されるスコアボードや日付は、コンテンツのデータ情報から抽出されたスクラップデータに基づいて表示される。ここで、ハイライトシーンＰａ１〜Ｐａ４（Ｐｂ１〜Ｐｂ４）のいずれかが利用者により選択された場合に、選択されたハイライトシーンを表示装置２００の全面に表示するようにしてもよい。
【００３８】
その後、ステップＳ５において、利用者が通常録画データの削除を選択したか否かが判断される。具体的には、通常録画データを削除するか否かを利用者に選択させる選択画面が表示装置２００に表示される。そして、利用者が通常録画データの削除を選択したと判断された場合には、ステップＳ６において、ＨＤＤ部１４に記録されている通常録画データが削除され、再生時の動作が終了する。すなわち、この場合には、コンテンツの要約再生用のスクラップデータのみがＨＤＤ部１４に記録された状態になる。その一方、利用者が通常録画データの削除を選択していないと判断された場合には、再生時の動作が終了する。すなわち、この場合には、コンテンツの通常再生用の通常録画データと、コンテンツの要約再生用のスクラップデータとがＨＤＤ部１４に記録された状態のままである。
【００３９】
また、ステップＳ８では、コンテンツのスクラップデータを用いて、コンテンツの要約再生が行われ、その後、再生時の動作が終了する。なお、ステップＳ８における要約再生は、ステップＳ４における要約再生と同様である。
【００４０】
次に、図５を参照して、本実施形態によるＤＶＤレコーダ１００のスクラップデータの手動作成時の動作について説明する。なお、スクラップデータの手動作成は、コンテンツの通常録画データが削除されていないときに行われる。また、このフローチャートの各ステップは、ＣＰＵ２１ａ（図１参照）により実行される。
【００４１】
まず、ＤＶＤレコーダ１００（図１参照）では、図５のステップＳ１１において、利用者が自動編集を選択したか否かが判断される。具体的には、利用者に「自動編集」および「手動編集」のいずれか一方を選択させる選択画面が表示装置２００（図１参照）に表示される。そして、利用者が自動編集を選択したと判断された場合には、ステップＳ２４に移る。その一方、利用者が手動編集を選択したと判断された場合には、ステップＳ１２に移る。
【００４２】
次に、ステップＳ１２において、利用者がフォームを選択したか否かが判断される。具体的には、フォームの一覧からコンテンツに応じたフォームを利用者に選択させる選択画面を表示装置２００に表示させる。そして、利用者がフォームを選択していないと判断された場合には、ステップＳ１２が繰り返し行われる。すなわち、ＤＶＤレコーダ１００は、利用者がフォームを選択するまで待機する。そして、利用者がフォームを選択したと判断された場合には、ステップＳ１３に移る。
【００４３】
次に、ステップＳ１３において、選択されたフォームを表示装置２００に表示させる。たとえば、ステップＳ１２において、野球中継用のフォームが選択された場合には、図６に示すようなフォームＦ１が表示装置２００に表示される。ここで、フォームＦ１には、コンテンツのハイライトシーンまたは利用者が作成した文章が挿入される表示領域Ｒａ１〜Ｒａ４と、データが入力される表示領域Ｒｂ１〜Ｒｂ３とが設けられている。なお、表示領域Ｒｂ１は、対戦チーム名が挿入される表示領域であり、表示領域Ｒｂ２は、日時が挿入される表示領域であり、表示領域Ｒｂ３は、スコアボードが表示される表示領域である。
【００４４】
次に、ステップＳ１４において、表示領域Ｒａ１〜Ｒａ４のいずれかが選択されたか否かが判断される。そして、表示領域Ｒａ１〜Ｒａ４のいずれかが選択されたと判断された場合には、ステップＳ１５に移る。その一方、表示領域Ｒａ１〜Ｒａ４のいずれも選択されていないと判断された場合には、ステップＳ２２に移る。
【００４５】
次に、ステップＳ１５において、利用者に「ハイライトシーンを挿入する」および「文章を挿入する」のいずれか一方を選択させる選択画面（図示省略）が表示装置２００に表示される。
【００４６】
次に、ステップＳ１６において、「ハイライトシーンを挿入する」が選択されたか否かが判断される。そして、利用者が「ハイライトシーンを挿入する」を選択したと判断された場合には、ステップＳ１７に移る。その一方、利用者が「ハイライトシーンを挿入する」を選択していないと判断された場合には、ステップＳ１９に移る。
【００４７】
次に、ステップＳ１７において、ハイライトシーン選択画面（図示省略）が表示される。なお、ハイライトシーン選択画面では、たとえば、コンテンツ（通常録画データ）の映像とともに、その映像の位置を示す目盛りが表示される。そして、利用者がリモコン２を用いて、目盛りの範囲（位置）を指定することにより、ハイライトシーンが選択される。すなわち、選択されるハイライトシーンは、動画であってもよいし、静止画であってもよい。
【００４８】
次に、ステップＳ１８において、利用者がリモコン２を用いて通常録画データからハイライトシーンを選択したか否かが判断される。そして、ハイライトシーンが選択されたと判断された場合には、選択されたハイライトシーンが、ステップＳ１４において選択された表示領域に挿入され、ステップＳ２２に移る。その一方、ハイライトシーンが選択されていないと判断された場合には、ステップＳ１８が繰り返し行われる。
【００４９】
また、ステップＳ１９において、「文章を挿入する」が選択されたか否かが判断される。そして、利用者が「文章を挿入する」を選択したと判断された場合には、ステップＳ２０に移る。その一方、利用者が「文章を挿入する」を選択していないと判断された場合には、ステップＳ１６に戻る。
【００５０】
次に、ステップＳ２０において、文章入力画面（図示省略）が表示される。そして、ステップＳ２１において、利用者がリモコン２を用いて文章を入力したか否かが判断される。そして、文章が入力されたと判断された場合には、入力された文章が、ステップＳ１４において選択された表示領域に挿入され、ステップＳ２２に移る。その一方、文章が入力されていないと判断された場合には、ステップＳ２１が繰り返し行われる。
【００５１】
次に、ステップＳ２２において、表示領域Ｒｂ１〜Ｒｂ３のいずれかが選択されたか否かが判断される。そして、表示領域Ｒｂ１〜Ｒｂ３のいずれかが選択されたと判断された場合には、ステップＳ２３に移る。その一方、表示領域Ｒｂ１〜Ｒｂ３のいずれも選択されていないと判断された場合には、ステップＳ２５に移る。
【００５２】
次に、ステップＳ２３において、選択された表示領域に、データが入力されたか否かが判断される。そして、利用者がリモコン２を操作することにより、データが入力されたと判断された場合には、ステップＳ２５に移る。その一方、データが入力されていないと判断された場合には、ステップＳ２３が繰り返し行われる。
【００５３】
また、ステップＳ２４では、自動でスクラップデータが生成される。具体的には、コンテンツの種類に応じてフォームが選択される。そして、コンテンツのハイライトシーンやデータが抽出され、抽出されたハイライトシーンやデータがフォームに挿入される。その後、ステップＳ２５に移る。
【００５４】
次に、ステップＳ２５において、フォームの各表示領域に対する編集が終了したか否かが判断される。そして、編集が終了したと判断された場合には、ステップＳ２６に移る。その一方、編集が終了していないと判断された場合には、ステップＳ１４に戻る。
【００５５】
次に、ステップＳ２６において、利用者が通常録画データの削除を選択したか否かが判断される。具体的には、通常録画データを削除するか否かを利用者に選択させる選択画面（図示省略）が表示装置２００に表示される。そして、利用者が通常録画データの削除を選択したと判断された場合には、ステップＳ２７において、ＨＤＤ部１４に記録されている通常録画データが削除され、スクラップデータの手動作成時の動作が終了する。すなわち、この場合には、コンテンツの要約再生用のスクラップデータのみがＨＤＤ部１４に記録された状態になる。その一方、利用者が通常録画データの削除を選択していないと判断された場合には、スクラップデータの手動作成時の動作が終了する。すなわち、この場合には、コンテンツの通常再生用の通常録画データと、コンテンツの要約再生用のスクラップデータとがＨＤＤ部１４に記録された状態になる。
【００５６】
本実施形態では、上記のように、要約再生時に（図２のステップＳ４）、図３（図４）に示すように、ＨＤＤ部１４に記録されたスクラップデータに基づいて、ハイライトシーンＰａ１〜Ｐａ４（Ｐｂ１〜Ｐｂ４）が表示装置２００に一覧表示されることによって、利用者がコンテンツの概要を容易に確認することができる。そして、利用者がコンテンツの通常再生を行うことがないと判断した場合には、利用者により通常録画データが削除されるので（図２のステップＳ６）、ＨＤＤ部１４の空き容量を多くすることができる。
【００５７】
また、本実施形態では、スクラップデータがＨＤＤ部１４に記録されることによって、上記特許文献１のように、コンテンツの要約再生が行われる毎に、ハイライトシーンのサムネイル画像を生成する必要がないので、要約再生時の処理が遅くなるのを抑制することができる。また、コンテンツの通常再生用の通常録画データを削除した場合にも、スクラップデータに基づいて要約再生を行うことができる。したがって、通常録画データを削除すれば、要約再生を行うことができる状態でＨＤＤ部１４の空き容量を多くすることができる。
【００５８】
また、本実施形態では、コンテンツの種類に応じてフォームが選択されるとともに、選択されたフォームにハイライトシーンが挿入されることによって、要約再生時のレイアウトがコンテンツに応じて変更されるので、利用者がコンテンツの概要をより容易に確認することができる。たとえば、コンテンツの種類が野球中継である場合に、ハイライトシーンとともに、スコアボードなども表示されるので、利用者がコンテンツの概要をより容易に確認することができる。
【００５９】
また、本実施形態では、利用者がコンテンツ（通常録画データ）から選択したハイライトシーンを表示領域に挿入することによって（図５のステップＳ１８：Yes）、要約再生時の画面を利用者がカスタマイズ（所望の画面に設定）することができる。
【００６０】
また、本実施形態では、利用者が作成した文章を表示領域に挿入することによって（図５のステップＳ２１：Yes）、要約再生時の画面を利用者がカスタマイズすることができる。
【００６１】
また、本実施形態では、通常録画データとスクラップデータとがある場合に、利用者に「通常再生」および「要約再生」のいずれか一方を選択させる選択画面を表示することによって（図２のステップＳ３）、コンテンツの概要を知る必要がなくコンテンツを先頭から視聴したい利用者は、通常再生を選択することにより、コンテンツを先頭から視聴することができるとともに、コンテンツを先頭から視聴する前にコンテンツの概要を知りたい利用者は、要約再生を選択することにより、コンテンツの概要を知ることができる。
【００６２】
本発明は、上述した以外にも種々の実施形態を採用することができる。たとえば、上記実施形態では、ＤＶＤレコーダ１００に本発明を適用する例を示したが、これに限らず、ＤＶＤ部１３が設けられていないハードディスクレコーダなどのその他の記録再生装置に本発明を適用してもよい。
【００６３】
また、上記実施形態では、本発明の記録部がＨＤＤ部１４である例を示したが、これに限らず、本発明の記録部がＶＣＲ部１２やＤＶＤ部１３であってもよい。
【００６４】
また、上記実施形態において、コンテンツを通常再生（図２のステップＳ７）した後、通常録画データを削除するか否かを利用者に選択させる選択画面を表示装置２００に表示するようにしてもよい。
【００６５】
また、上記実施形態において、コンテンツを要約再生（図２のステップＳ４およびＳ８）した後、スクラップデータを削除するか否かを利用者に選択させる選択画面を表示装置２００に表示するようにしてもよい。
【００６６】
また、上記実施形態では、表示領域が選択された後に（図５のステップＳ１４：Yes）、表示領域に挿入される対象（ハイライトシーンまたは文章）が決定される例を示したが、これに限らず、挿入される対象が決定された後に、決定された対象が挿入される表示領域が選択されるようにしてもよい。
【００６７】
また、上記実施形態では、ハイライトシーンまたは文章が挿入される表示領域がフォームに４個設けられる例を示したが、これに限らず、フォームに設けられたハイライトシーンまたは文章が挿入される表示領域が３個以下または５個以上であってもよい。
【００６８】
また、上記実施形態では、フォームＦ１に、コンテンツのハイライトシーンまたは利用者が作成した文章が挿入される表示領域Ｒａ１〜Ｒａ４と、データが入力される表示領域Ｒｂ１〜Ｒｂ３とが設けられる例を示したが、これに限らず、フォームＦ１に、コンテンツのハイライトシーンが挿入される表示領域Ｒａ１〜Ｒａ４のみが設けられていてもよい。
【００６９】
また、上記実施形態では、ＤＶＤレコーダ本体１にスクラップデータ生成部２０が設けられる例を示したが、これに限らず、制御部２１がスクラップデータを生成する機能を有していてもよい。すなわち、抽出部の一例としてスクラップデータ生成部２０を示したが、これに限らず、制御部２１が抽出部として機能するようにしてもよい。
【符号の説明】
【００７０】
１４    ＨＤＤ部（記録部）
２０    スクラップデータ生成部（抽出部）
１００  ＤＶＤレコーダ（記録再生装置）
２００  表示装置（表示部）
【図１】
2010199655.tif 000003
【図２】
2010199655.tif 000004
【図３】
2010199655.tif 000005
【図４】
2010199655.tif 000006
【図５】
2010199655.tif 000007
【図６】
2010199655.tif 000008